(57)【特許請求の範囲】
【請求項１】
リレーノードと通信を行う基地局であって、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出し、
該重複しないセルを表す情報に基づいて、該重複しないセルに対応する隣接セルリストから、前記リレーノードの配下のセルを削除することにより隣接セルリストを更新する制御部
を備える、基地局。
【請求項２】
請求項１に記載の基地局において、
前記制御部は、前記重複しないセルを表す情報に基づいて、該重複しないセルを配下に有する基地局に対して、該重複しないセルに対応する隣接セルリストから、前記リレーノードの配下のセルを削除することにより更新することを依頼する、基地局。
【請求項３】
請求項１又は２に記載の基地局において、
前記制御部は、他の基地局の配下のセルから、当該基地局の配下のセルに、リレーノードをハンドオーバさせる制御を行う際に、該他の基地局からのハンドオーバ元となるセルに隣接するセルの情報を含む隣接セルリストと、ハンドオーバ先となるセルに隣接するセルの情報を含む隣接セルリストとの間で、重複しないセルを表す情報を抽出し、
該重複しないセルを表す情報に基づいて、該重複しないセルに対応する隣接セルリストに、前記リレーノードの配下のセルを追加することにより隣接セルリストを更新し、
該重複しないセルを表す情報に基づいて、該重複しないセルを配下に有する基地局に対して、該重複しないセルに対応する隣接セルリストに、前記リレーノードの配下のセルを追加することにより更新することを依頼する、基地局。
【請求項４】
請求項１ないし３のいずれか１項に記載の基地局において、
Ｘ２インタフェースにより、前記重複しないセルを配下に有する基地局に対して、隣接セルリストを更新することを依頼する伝送路インタフェース
を有する、基地局。
【請求項５】
リレーノードと通信を行う基地局における通信方法であって、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出する隣接セルリスト比較ステップと、
該隣接セルリスト比較ステップにより抽出された重複しないセルを表す情報に基づいて、該重複しないセルに対応する隣接セルリストから、前記リレーノードの配下のセルを削除することにより隣接セルリストを更新する隣接セルリスト更新ステップと
を有する、通信方法。
【請求項６】
リレーノードと、該リレーノードと通信を行う基地局とを有する無線通信システムであって、
前記基地局は、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出し、
該重複しないセルを表す情報に基づいて、該重複しないセルに対応する隣接セルリストから、前記リレーノードの配下のセルを削除することにより隣接セルリストを更新し、
該重複しないセルを表す情報に基づいて、該重複しないセルを配下に有する基地局に対して、該重複しないセルに対応する隣接セルリストから、前記リレーノードの配下のセルを削除することにより更新することを依頼する第１の制御部
を有し、
前記他の基地局は、
前記基地局の配下のセルから、前記リレーノードをハンドオーバさせる制御を行う際に、該基地局からのハンドオーバ元となるセルに隣接するセルの情報を含む隣接セルリストと、ハンドオーバ先となるセルに隣接するセルの情報を含む隣接セルリストとの間で、重複しないセルを表す情報を抽出し、
該重複しないセルを表す情報に基づいて、該重複しないセルに対応する隣接セルリストに、前記リレーノードの配下のセルを追加することにより隣接セルリストを更新し、
該重複しないセルを表す情報に基づいて、該重複しないセルを配下に有する基地局に対して、該重複しないセルに対応する隣接セルリストに、前記リレーノードの配下のセルを追加することにより更新することを依頼する第２の制御部
を有する、無線通信システム。
【発明の詳細な説明】
【技術分野】
【０００１】
本発明は、無線通信システムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）に従って無線通信を行うネットワーク（以下、「ＬＴＥネットワーク」という）のカバレッジの拡充・容量拡張の目的でリレーノード（ＲＮ：  Ｒｅｌａｙ  Ｎｏｄｅ）が検討されている。
【０００３】
リレーノードとは、ＬＴＥに従って無線通信を行う基地局（ｅＮＢ：  ｅＮｏｄｅＢ）と、ＬＴＥに対応する移動端末（ＵＥ：  Ｕｓｅｒ  Ｅｑｕｉｐｍｅｎｔ）（以下、「ユーザ端末」という）との間をそれぞれの無線インタフェースで中継するノードである。
【０００４】
リレーノードに関して、以下のことが知られている（例えば、非特許文献１参照）。
【０００５】
リレーノードと、ネットワークとの間は、ドナー基地局（ＤｅＮＢ：  Ｄｏｎｏｒ  ｅＮＢ）で接続される。ここで、ドナー基地局とは、リレーノードを意識して通信を行う機能を基地局に追加したものである。
【０００６】
リレーノードは、１つのセルを有する。該１つのセルは、ドナー基地局の有するセルとは独立である。リレーノードは、ＲＲＣ（Ｒａｄｉｏ  Ｒｅｓｏｕｒｃｅ  Ｃｏｎｔｒｏｌ）プロトコルを終端し、独立に制御できる。
【０００７】
リレーノードは、電車等の乗り物や、イベント会場などの小規模なエリアでの利用が想定される。乗り物や、小規模なエリアで利用することにより、収容する領域を延長したり、収容能力を強化したりすることができる。また、リレーノードによりカバーされるセルの領域は、基地局の配下のマクロセルの領域や、ドナー基地局の配下のマクロセルの領域と比較して狭いことが想定される。
【先行技術文献】
【非特許文献】
【０００８】
【非特許文献１】３ＧＰＰ  ＴＳ３６．３００  Ｖ１０．３．０、  “４．７  Ｓｕｐｐｏｒｔ  ｆｏｒ  ｒｅｌａｙｉｎｇ”、  ２０１１−０３
【発明の概要】
【発明が解決しようとする課題】
【０００９】
基地局や、ドナー基地局は、配下のセル毎に、該セルに隣接するセルを表す情報を含むリスト（以下、「隣接セルリスト」という）を保持している。ユーザ端末は、ハンドオーバの際に、隣接セルリストを利用する。
【００１０】
ユーザ端末には基地局や、ドナー基地局から隣接セルリストが通知される。ユーザ端末は、隣接セルリストに基づいて、周辺セルサーチを実施する。
【００１１】
図１、図２には、リレーノードの移動例が示される。
【００１２】
ドナー基地局、基地局は、隣接セルリストに、リレーノードの配下のセルを表す情報を加える。リレーノードの移動の際には、該リレーノードの移動に伴い、該リレーノードの配下のセルも移動する。ドナー基地局、基地局は、リレーノードの移動に伴い、隣接セルリストに、リレーノードの配下のセルを表す情報を追加したり、削除したりする。
【００１３】
図１に示される例では、リレーノードの配下のセルＣｅｌｌ＿Ｒ−１は、ドナー基地局＃０（ＤｅＮＢ＃０）の配下のセルＣｅｌｌ＿０−０によりカバーされる領域、及びセルＣｅｌｌ＿０−１によりカバーされる領域と少なくとも一部が重複する領域をカバーする。この状態で、ドナー基地局＃０のセルＣｅｌｌ＿０−０の隣接セルは、セルＣｅｌｌ＿０−１と、セルＣＥｌｌ＿Ｒ−１である。ドナー基地局＃０のセルＣｅｌｌ＿０−１の隣接セルは、セルＣｅｌｌ＿０−０と、セルＣＥｌｌ＿Ｒ−１である。ドナー基地局＃０のセルＣｅｌｌ＿０−２の隣接セルは、セルＣｅｌｌ＿０−１と、セルＣＥｌｌ＿１−０である。
【００１４】
図２は、図１に示される状態から、リレーノードが移動した状態を示す。
【００１５】
図２に示される例では、リレーノードの配下のセルＣｅｌｌ＿Ｒ−１が、ドナー基地局＃０のセルＣｅｌｌ＿０−２の一部の領域をカバーする。この状態で、ドナー基地局＃０のセルＣｅｌｌ＿０−０の隣接セルは、セルＣｅｌｌ＿０−１である。リレーノードの移動に伴って、ドナー基地局＃０のセルＣｅｌｌ＿０−０の隣接セルから、リレーノードの配下のセルＣｅｌｌ＿Ｒ−１を表す情報が削除されるためである。ドナー基地局＃０のセルＣｅｌｌ＿０−１の隣接セルは、セルＣｅｌｌ＿０−０である。リレーノードの移動に伴って、ドナー基地局＃０のセルＣｅｌｌ＿０−１の隣接セルから、リレーノードの配下のセルＣｅｌｌ＿Ｒ−１が削除されるためである。ドナー基地局＃０のセルＣｅｌｌ＿０−２の隣接セルは、セルＣｅｌｌ＿０−１と、セルＣＥｌｌ＿１−０と、Ｃｅｌｌ＿Ｒ−１である。リレーノードの移動に伴って、ドナー基地局＃０のセルＣｅｌｌ＿０−２の隣接セルとして、リレーノードの配下のセルＣｅｌｌ＿Ｒ−１を表す情報が追加されるためである。
【００１６】
図３は、リレーノードの移動に伴って、隣接セルリストに、リレーノードの配下のセルを表す情報を追加したり、削除したりする処理の詳細を示す。
【００１７】
図３において、リレーノードの配下のセル（Ｒｅｌａｙ  Ｃｅｌｌ）は、ドナー基地局＃０（ＤｅＮＢ＃０）の配下のセルＣｅｌｌ＿０−２によりカバーされる領域から、ドナー基地局＃１（ＤｅＮＢ＃１）の配下のセルＣｅｌｌ＿１−５によりカバーされる領域に移動する。つまり、リレーノードは、ドナー基地局＃０（ＤｅＮＢ＃０）の配下のセルＣｅｌｌ＿０−２から、ドナー基地局＃１（ＤｅＮＢ＃１）の配下のセルＣｅｌｌ＿１−５にハンドオーバする。
【００１８】
リレーノードがドナー基地局＃０（ＤｅＮＢ＃０）の配下のセルＣｅｌｌ＿０−２から、ドナー基地局＃１（ＤｅＮＢ＃１）の配下のセルＣｅｌｌ＿１−５にハンドオーバする際に、該リレーノードのハンドオーバ元のドナー基地局＃０（ＤｅＮＢ＃０）は、該リレーノードのハンドオーバ元のドナー基地局＃０（ＤｅＮＢ＃０）の配下のセルＣｅｌｌ＿０−２の隣接セルリストに含まれるセルを収容しているドナー基地局及び基地局に、隣接セルリストから、リレーノードの配下のセルを表す情報を削除するように通知する。
【００１９】
また、該リレーノードのハンドオーバ先のドナー基地局＃１（ＤｅＮＢ＃１）は、該リレーノードのハンドオーバ先のドナー基地局＃１（ＤｅＮＢ＃１）の配下のセルＣｅｌｌ＿１−５の隣接セルリストに含まれるセルを収容しているドナー基地局及び基地局に、隣接セルリストに、リレーノードの配下のセルを表す情報を追加するように通知する。
【００２０】
上述した隣接セルリストからリレーノードの配下のセルを表す情報を削除する処理、隣接セルリストにリレーノードの配下のセルを表す情報を追加する処理は、該リレーノードのハンドオーバ元のセルと、該リレーノードのハンドオーバ先のセルの双方に隣接するセルに対しても実行されることが想定される。この場合、該リレーノードのハンドオーバ元のセルと、該リレーノードのハンドオーバ先のセルの双方に隣接するセルを収容しているドナー基地局及び基地局は、隣接セルリストからリレーノードの配下のセルを表す情報を削除するように通知された後に、該リレーノードの配下のセルを表す情報を追加するように通知される。
【００２１】
リレーノードの配下のセルを表す情報を削除した後に、該リレーノードの配下のセルを表す情報を追加する処理は、実行する必要の無い処理である。
【００２２】
このような、余分な処理は削減されるのが好ましい。
【００２３】
開示の基地局は、リレーノードのハンドオーバの際の実行されるべき隣接セルリストの更新に係る処理を効率的に行うことを目的とする。
【課題を解決するための手段】
【００２４】
開示の一実施例の基地局は、
リレーノードと通信を行う基地局であって、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出し、
該重複しないセルを表す情報に基づいて、該重複しないセルに対応する隣接セルリストから、前記リレーノードの配下のセルを削除することにより隣接セルリストを更新する制御部
を有する。
【発明の効果】
【００２５】
開示の実施例によれば、リレーノードのハンドオーバの際に実行されるべき隣接セルリストの更新に係る処理を効率的に行うことができる。
【図面の簡単な説明】
【００２６】
【図１】隣接セルの一例を示す図である。
【図２】隣接セルの一例を示す図である。
【図３】リレーノードのハンドオーバの一例を示す図である。
【図４】無線通信システムの一実施例を示す図である。
【図５】ドナー基地局の一実施例を示すブロック図である。
【図６】ドナー基地局の一実施例を示す機能ブロック図である。
【図７】隣接セルリストの一実施例を示す図である。
【図８】隣接セルリスト変更情報（その１）の一実施例を示す図である。
【図９】隣接セルリスト変更情報（その２）の一実施例を示す図である。
【図１０】基地局の一実施例を示すブロック図である。
【図１１】基地局の一実施例を示す機能ブロック図である。
【図１２】リレーノードのハンドオーバの一実施例を示す図である。
【図１３】無線通信システムの動作（その１）の一実施例を示す図である。
【図１４】無線通信システムの動作（その２）の一実施例を示す図である。
【発明を実施するための形態】
【００２７】
以下、図面に基づいて、実施例を説明する。
なお、実施例を説明するための全図において、同一機能を有するものは同一符号を用い、繰り返しの説明は省略する。
【００２８】
＜無線通信システム＞
図４は、無線通信システムの一実施例を示す。
【００２９】
無線通信システムには、ＬＴＥに従って無線通信を行う基地局２００が含まれる。基地局２００は、Ｅ−ＵＴＲＡＮ  Ｎｏｄｅ−Ｂと呼ばれてもよい。基地局２００は、Ｅ−ＵＴＲＡ  Ｕ−Ｐｌａｎｅ、及びＣ−Ｐｌａｎｅを提供する。Ｕ−Ｐｌａｎｅを提供する際に、ＰＤＣＰ（Ｐａｃｋｅｔ  Ｄａｔａ  Ｃｏｎｖｅｒｇｅｎｃｅ  Ｐｒｏｔｏｃｏｌ）、ＲＬＣ（Ｒａｄｉｏ  Ｌｉｎｋ  Ｃｏｎｔｒｏｌ）、ＭＡＣ（Ｍｅｄｉｕｍ  Ａｃｃｅｓｓ  Ｃｏｎｔｒｏｌ）、ＰＨＹに関する処理を行う。Ｃ−Ｐｌａｎｅを提供する際に、ＲＲＣに関する処理を行う。基地局２００は、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のＮｏｄｅ−Ｂと、ＲＮＣに相当する処理を行う。基地局２００は、セル２５０１、２５０２、２５０３をカバーする。基地局２００は、１−２のセルをカバーするようにしてもよいし、４以上のセルをカバーするようにしてもよい。無線通信システムに、２以上の基地局が含まれてもよい。
【００３０】
無線通信システムには、ドナー基地局１００ｎ（ｎは、ｎ＞０の整数）が含まれる。図４には、一例として、ｎが２の場合について示される。ドナー基地局１００１、１００２は、基地局２００に、リレーノードとの間で無線通信できる機能を追加したものである。ドナー基地局１００１は、セル１５０１１、１５０１２、１５０１３をカバーする。ドナー基地局１００２は、セル１５０２１、１５０２２、１５０２３をカバーする。ドナー基地局１００ｎは、１−２のセルをカバーするようにしてもよいし、４以上のセルをカバーするようにしてもよい。無線通信システムに、３以上のドナー基地局が含まれてもよい。
【００３１】
無線通信システムには、ＬＴＥに従って無線通信を行うユーザ端末４００ｍ（ｍは、ｍ＞０の整数）が含まれる。図４には、一例として、ｍが２の場合について示される。例えば、ユーザ端末４００ｍは、上りリンクでは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）に従って無線送信を行う。ユーザ端末４００ｍは、下りリンクでは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に従って送信された無線信号を受信する。
【００３２】
無線通信システムには、リレーノード３００が含まれる。リレーノード３００は、レイヤー３レベルで、ドナー基地局１００１又は１００２と、ユーザ端末４００１及び４００２の少なくとも一方との間の通信を中継するノードである。リレーノードは複数であってもよい。リレーノード３００は、ドナー基地局１００１又は１００２からの下りリンクの無線信号の復調処理、復号処理を行う。さらに、リレーノード３００は、ユーザデータを再生し、秘匿、ユーザデータ分割・結合処理等を行い、符号化・変調後に、ユーザ端末４００１又は４００２に無線送信する。リレーノード３００は、セル３５０をカバーする。図４に示される例では、リレーノード３００は、ドナー基地局１００１によりカバーされるセル１５０１３と、ドナー基地局１００２によりカバーされるセル１５０２１との間で重複する領域を含む領域をカバーする。
【００３３】
無線通信システムは、交換機６００を有する。交換機６００は、Ｃ−Ｐｌａｎｅを管理するノードと、Ｕ−Ｐｌａｎｅを管理するノードとが含まれてもよい。Ｃ−Ｐｌａｎｅを管理するノードは、ＭＭＥ（Ｍｏｂｉｌｉｔｙ  Ｍａｎａｇｅｍｅｎｔ  Ｅｎｔｉｔｙ）と呼ばれてもよい。Ｃ−Ｐｌａｎｅを管理するノードは、移動端末コンテキストを管理し、格納する。該移動端末コンテキストには、ユーザ識別子、モビリティ状態、セキュリティ等が含まれる。Ｕ−Ｐｌａｎｅを管理するノードは、Ｓ−ＧＷ（Ｓｅｒｖｉｎｇ  Ｇａｔｅｗａｙ）と呼ばれてもよい。Ｕ−Ｐｌａｎｅを管理するノードは、移動端末コンテキストを管理し、格納する。該移動端末コンテキストには、ＩＰベアラサービスパラメータ、ルーティング情報等が含まれる。
【００３４】
ドナー基地局１００１、１００２、基地局２００は、ＩＰネットワーク５００を介して、交換機６００と接続される。
【００３５】
ドナー基地局１００１、１００２、基地局２００の間は、インタフェース５５０を介して接続される。該インタフェース５５０は、ドナー基地局と、基地局との間のインタフェースであり、Ｘ２と呼ばれてもよい。
【００３６】
＜ドナー基地局１００ｎ＞
図５は、ドナー基地局１００ｎの一実施例を示す。
【００３７】
図５には、主に、ハードウェア構成が示される。
【００３８】
ドナー基地局１００ｎは、伝送路インタフェース１０２と、Ｌ２ＳＷ（レイヤー２スイッチ）１０４と、制御部１０６と、ベースバンド処理部１０８と、無線インタフェース１１８とを有する。
【００３９】
無線インタフェース１１８は、当該ドナー基地局１００ｎによりカバーされるセルの数に応じた数の無線インタフェースを有する。図５には、当該ドナー基地局１００ｎにより３セルがカバーされる例が示される。３セルがカバーされる場合、無線インタフェース１１８には、Ｉ／Ｏｐｏｒｔ（入力／出力ポート）１１０１−１１０３と、Ａ／Ｄ変換回路１１２１−１１２３と、広帯域ＡＭＰ１１４１−１１４３と、アンテナ１１６１−１１６３とが含まれる。添え字「１」、「２」、「３」は、それぞれセルに対応する。
【００４０】
伝送路インタフェース１０２は、当該ドナー基地局以外の他のドナー基地局、基地局２００との間のインタフェースである。また、伝送路インタフェース１０２は、交換機６００との間のインタフェースである。図５では、交換機６００は、ＭＭＥと表されている。該ＭＭＥは、ＨＳＳ（Ｈｏｍｅ  Ｓｕｂｓｃｒｉｂｅｒ  Ｓｅｒｖｅｒ）７００と接続される。ＨＳＳ７００は、加入者情報データベースである。ＨＳＳは、認証情報及び在圏情報を管理する。伝送路インタフェース１０２は、Ｘ２インタフェースと呼ばれてもよい。
【００４１】
Ｌ２ＳＷ１０４は、伝送路インタフェース１０２と接続される。Ｌ２ＳＷ１０４は、レイヤー２で、伝送路インタフェース１０２からのパケットの転送先を判断する。Ｌ２ＳＷ１０４は、無線インタフェース１１８に含まれるＩ／Ｏｐｏｒｔ１１０１−１１０３のうち、転送先に対応するＩ／Ｏｐｏｒｔに、伝送路インタフェース１０２からのパケットを転送する。
【００４２】
制御部１０６は、Ｌ２ＳＷ１０４と接続される。制御部１０６は、ＣＰＵ１０６２と、ＭＥＭ（メモリ）１０６４とを有する。
【００４３】
ＣＰＵ１０６２は、ＭＥＭ１０６４に格納されたプログラムに従って、各種制御を行う。ＭＥＭ１０６４には、ドナー基地局として、当該ドナー基地局１００ｎを機能させるためのプログラムが格納される。
【００４４】
制御部１０６は、呼処理を行う。また、制御部１０６は、ＩＰアドレスの割り当てを行う。具体的には、リレーノード３００にＩＰアドレスを割り当てる。さらに、制御部１０６は、リレーノード３００に割り当てたＩＰアドレスをプールする。また、制御部１０６は、リソース管理を行う。また、制御部１０６は、当該ドナー基地局１００ｎと、ユーザ端末４００ｍとの間の接続制御を行う。さらに、制御部１０６は、当該ドナー基地局１００ｎと、ユーザ端末４００ｍとの間の接続管理を行う。また、制御部１０６は、当該ドナー基地局１００ｎと、リレーノード３００との間の接続制御を行う。さらに、制御部１０６は、当該ドナー基地局１００ｎと、リレーノード３００との間の接続管理を行う。また、制御部１０６は、リレーノード３００に、下りリンクの受信品質の測定を指示する。さらに、制御部１０６は、該指示に応じて、リレーノード３００から通知された下りリンクの受信品質を解析する。具体的には、制御部１０６は、該リレーノード３００をハンドオーバさせるべきかどうかを判断する。また、制御部１０６は、当該ドナー基地局１００ｎの各部を監視し、制御する。
【００４５】
＜ドナー基地局１００ｎの機能＞
図６は、ドナー基地局１００ｎの機能の一実施例を示す。
【００４６】
ドナー基地局１００ｎは、メッセージ分析部１０６６と、プロトコル処理部１０６８と、ハンドオーバ制御部１０７０とを有する。メッセージ分析部１０６６の機能と、プロトコル処理部１０６８の機能と、ハンドオーバ制御部１０７０の機能は、ＣＰＵ１０６２により実現される。ＣＰＵ１０６２が、所定のプログラムに従って動作することにより、メッセージ分析部１０６６、プロトコル処理部１０６８、ハンドオーバ制御部１０７０として機能する。ハンドオーバ制御部１０７０は、ハンドオーバ処理部１０７２と、隣接セルリスト比較部１０７４と、隣接セルリスト更新部１０７６と、隣接セルリスト更新指示部１０７８とを有する。ハンドオーバ処理部１０７２の機能と、隣接セルリスト比較部１０７４の機能と、隣接セルリスト更新部１０７６の機能と、隣接セルリスト更新指示部１０７８の機能は、ＣＰＵ１０６２により実現される。ＣＰＵ１０６２が、所定のプログラムに従って動作することにより、ハンドオーバ処理部１０７２、隣接セルリスト比較部１０７４、隣接セルリスト更新部１０７６、隣接セルリスト更新指示部１０７８として機能する。
【００４７】
メッセージ分析部１０６６は、Ｌ２ＳＷ１０４と接続される。メッセージ分析部１０６６は、Ｌ２ＳＷ１０４から入力されるべきメッセージを分析する。具体的には、メッセージ分析部１０６６は、該メッセージの宛先に応じて、ユーザ端末４００ｍ又はリレーノード３００宛である場合には、Ｌ２ＳＷ１０４に入力する。また、メッセージ分析部１０６６は、該メッセージがリレーノード３００からの下りリンクの無線品質を表す情報、他のドナー基地局からの隣接セルリスト、他のドナー基地局からの隣接セルリスト変更情報である場合には、プロトコル処理部１０６８に入力する。隣接セルリスト変更情報については、後述する。
【００４８】
プロトコル処理部１０６８は、Ｌ２ＳＷ１０４と、メッセージ分析部１０６６と接続される。プロトコル処理部１０６８は、ハンドオーバ制御部１０７０に、メッセージ分析部１０６６からの下りリンクの無線品質を表す情報を入力する。また、プロトコル処理部１０６８は、ハンドオーバ制御部１０７０に、メッセージ分析部１０６６からの隣接セルリスト、隣接セルリスト変更情報を入力する。また、プロトコル処理部１０６８は、当該ドナー基地局１００ｎの配下のリレーノード３００に通知すべき隣接セルリストを送信するためのプロトコル変換を行う。該隣接セルリストは、Ｘ２メッセージに含まれる。また、プロトコル処理部１０６８は、リレーノード３００のハンドオーバの際に、ハンドオーバ先のセルを配下に有するドナー基地局に通知すべき隣接セルリストのプロトコル変換を行う。該隣接セルリストは、Ｘ２メッセージに含まれる。
【００４９】
図７は、隣接セルリストの一実施例を示す。
【００５０】
隣接セルリストには、メッセージタイプ（Ｍｅｓｓａｇｅ  Ｔｙｐｅ）と、ハンドオーバリレーＩＤ（Ｈａｎｄｏｖｅｒ  Ｒｅｌａｙ  ＩＤ）と、方向（Ｄｉｒｅｃｔｉｏｎ）と、隣接セル数（Ｎｅｉｇｈｂｏｕｒ  ｃｅｌｌ  ｎｕｍｂｅｒ）とが含まれる。
【００５１】
メッセージタイプは、本メッセージを区別するためのメッセージタイプ、つまり識別子を表す。ハンドオーバリレーＩＤは、本メッセージのトリガーとなった先にハンドオーバを実施したリレーノードの識別ＩＤを表す。方向は、送信方向が、ソース（Ｓｏｕｒｃｅ）からターゲット（Ｔａｒｇｅｔ）であるのか、ターゲットからソースであるのかを表す。つまり、ハンドオーバ元のドナー基地局からハンドオーバ先のドナー基地局への送信であるか、ハンドオーバ先のドナー基地局からハンドオーバ元のドナー基地局への送信であるかを表す。隣接セル数は、隣接セルリストに含まれるセル（情報）の数を表す。
【００５２】
さらに、隣接セルリストには、隣接セル数に応じた数の隣接セル情報が含まれる。隣接セル情報には、Ｅ−ＵＴＲＡＮセルグローバルＩＤ（ＥＣＧＩ：  Ｅ−ＵＴＲＡＮ  Ｃｅｌｌ  Ｇｌｏｂａｌ  ＩＤ）、物理セルＩＤ（ＰＣＩ：  Ｐｈｙｓｉｃａｌ  Ｃｅｌｌ  Ｉｄｅｎｔｉｔｉｅｓ）、ＥＡＲＦＣＮが含まれる。ＥＣＧＩは、隣接セルのＥ−ＵＴＲＡＮセルのグローバルＩＤを表す。ＰＣＩは、隣接セルの物理セルＩＤを表す。ＥＡＲＦＣＮは、ＦＤＤ（Ｆｒｅｑｕｅｎｃｙ  Ｄｉｖｉｓｉｏｎ  Ｄｕｐｌｅｘ）に対する下りリンクのＥＡＲＦＣＮ（Ｅ−ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）を表す。
【００５３】
また、プロトコル処理部１０６８は、当該ドナー基地局１００ｎの配下のセルに在圏するリレーノード３００が、他のドナー基地局の配下のセルにハンドオーバする際に、該他のドナー基地局から通知されるハンドオーバ先のセルの隣接セルリストと、当該ドナー基地局１００ｎの配下のセルのうち、ハンドオーバ元のセルに対応する隣接セルリストに基づいて生成されるべき隣接セルリスト変更情報を送信するためのプロトコル変換を行う。該隣接セルリスト変更情報は、Ｘ２メッセージに含まれる。
【００５４】
図８は、隣接セルリスト変更情報の一実施例を示す。図８に示される隣接セルリストは、主に、ハンドオーバ元のドナー基地局により送信される。
【００５５】
隣接セルリスト変更情報には、メッセージタイプと、ハンドオーバリレーＩＤと、削除隣接セル数（Ｄｅｌｅｔｅ  Ｎｅｉｇｈｂｏｕｒ  ｃｅｌｌ  ｎｕｍｂｅｒ）とが含まれる。メッセージタイプは、本メッセージを区別するためのメッセージタイプ、つまり識別子を表す。ハンドオーバリレーＩＤは、本メッセージのトリガーとなった先にハンドオーバを実施したリレーノードの識別ＩＤを表す。削除セル数は、隣接セルリストから削除すべきセルの数を表す。さらに、隣接セルリスト変更情報には、削除すべきセル数に応じた数の隣接セル情報が含まれる。隣接セル情報には、ＥＣＧＩ、ＰＣＩ、ＥＡＲＦＣＮが含まれる。ＥＣＧＩは、隣接セルのＥ−ＵＴＲＡＮセルのグローバルＩＤを表す。ＰＣＩは、隣接セルの物理セルＩＤを表す。ＥＡＲＦＣＮは、ＦＤＤに対する下りリンクのＥＡＲＦＣＮを表す。
【００５６】
また、プロトコル処理部１０６８は、当該ドナー基地局１００ｎの配下のセルに、他のドナー基地局の配下のセルに在圏するリレーノード３００がハンドオーバする際に、該他のドナー基地局から通知されるハンドオーバ元のセルに対応する隣接セルリストと、当該ドナー基地局１００ｎの配下のセルのうち、ハンドオーバ先のセルに対応する隣接セルリストに基づいて生成されるべき隣接セルリスト変更情報を送信するためのプロトコル変換を行う。
【００５７】
図９は、隣接セルリスト変更情報の一実施例を示す。図９に示される隣接セルリストは、主に、ハンドオーバ先のドナー基地局により送信される。
【００５８】
隣接セルリスト変更情報には、メッセージタイプと、ハンドオーバリレーＩＤと、追加隣接セル数（Ａｄｄ  Ｎｅｉｇｈｂｏｕｒ  ｃｅｌｌ  ｎｕｍｂｅｒ）とが含まれる。メッセージタイプは、本メッセージを区別するためのメッセージタイプ、つまり識別子を表す。ハンドオーバリレーＩＤは、本メッセージのトリガーとなった先にハンドオーバを実施したリレーノードの識別ＩＤを表す。追加セル数は、隣接セルリストに追加すべきセルの数を表す。さらに、隣接セルリスト変更情報には、追加すべきセル数に応じた数の隣接セル情報が含まれる。隣接セル情報には、ＥＣＧＩ、ＰＣＩ、ＥＡＲＦＣＮが含まれる。ＥＣＧＩは、隣接セルのＥ−ＵＴＲＡＮセルのグローバルＩＤを表す。ＰＣＩは、隣接セルの物理セルＩＤを表す。ＥＡＲＦＣＮは、ＦＤＤに対する下りリンクのＥＡＲＦＣＮを表す。
【００５９】
ハンドオーバ制御部１０７０は、当該ドナー基地局１００ｎの配下のセルに在圏するリレーノード３００が他のドナー基地局の配下のセルにハンドオーバする場合の制御を行う。また、ハンドオーバ制御部１０７０は、他のドナー基地局の配下のセルから、当該ドナー基地局１００ｎの配下のセルに、リレーノード３００がハンドオーバする場合の制御を行う。
【００６０】
ハンドオーバ処理部１０７２は、プロトコル処理部１０６８と接続される。ハンドオーバ処理部１０７２は、プロトコル処理部１０６８により入力されるべき下りリンクの無線品質に基づいて、該下りリンクの無線品質を表す情報を送信したリレーノード３００を、他のドナー基地局にハンドオーバさせるかどうかを判定する。
【００６１】
ハンドオーバ処理部１０７２は、他のドナー基地局との間で、リレーノード３００をハンドオーバさせるための処理を行う。ハンドオーバ処理部１０７２は、リレーノード３００を、他のドナー基地局との間でハンドオーバさせる処理を実行する際に、隣接セルリスト比較部１０７４に、ハンドオーバが実行されることを通知する。
【００６２】
また、ハンドオーバ処理部１０７２は、隣接セルリスト更新部１０７６に、ハンドオーバが実行される際に他のドナー基地局から送信される隣接セルリスト更新情報を入力する。
【００６３】
隣接セルリスト比較部１０７４は、ハンドオーバ処理部１０７２と接続される。隣接セルリスト比較部１０７４は、ハンドオーバ処理部１０７２と、ＭＥＭ１０６４と接続される。隣接セルリスト比較部１０７４には、ハンドオーバ処理部１０７２から、当該ドナー基地局１００ｎと、他のドナー基地局との間で、リレーノード３００のハンドオーバが実行される際に、他のドナー基地局からのハンドオーバ先のセルに対応する隣接セルリスト又はハンドオーバ元のセルに対応する隣接セルリストが入力される。隣接セルリスト比較部１０７４は、ＭＥＭ１０６４に格納された当該ドナー基地局１００ｎの隣接セルリストに含まれるセルを表す情報と、他のドナー基地局からの隣接セルリストに含まれるセルを表す情報とを比較する。
【００６４】
＜当該ドナー基地局がハンドオーバ元のセルを配下に有する場合＞
隣接セルリスト比較部１０７４には、当該ドナー基地局１００ｎとハンドオーバを行う他のドナー基地局から、ハンドオーバ先となるセルに対応する隣接セルリストが入力される。隣接セルリスト比較部１０７４は、該ハンドオーバ先となるセルに対応する隣接セルリストと、ＭＥＭ１０６４に格納されるべきリレーノード３００のハンドオーバ元となるセルに対応する隣接セルリストとを比較することにより重複していないセルを表す情報を抽出する。具体的には、ＭＥＭ１０６４に格納されるべきリレーノード３００のハンドオーバ元となるセルに対応する隣接セルリストに含まれるセルから、ハンドオーバ先となるセルに対応する隣接セルリストに含まれるセルに重複していないセルを表す情報が抽出される。ここで、重複していないセルを表す情報にハンドオーバ先のセルを表す情報が含まれる場合には、該重複していないセルを表す情報から、ハンドオーバ先のセルを表す情報を削除する。隣接セルリスト比較部１０７４は、隣接セルリスト更新部１０７６、隣接セルリスト更新指示部１０７８に、重複していないセルを表す情報（以下、「非重複セル情報」という）を入力する。
【００６５】
＜当該ドナー基地局がハンドオーバ先のセルを配下に有する場合＞
隣接セルリスト比較部１０７４には、当該ドナー基地局１００ｎとハンドオーバを行う他のドナー基地局から、ハンドオーバ元となるセルに対応する隣接セルリストが入力される。隣接セルリスト比較部１０７４は、ハンドオーバ元となるセルに対応する隣接セルリストと、ＭＥＭ１０６４に格納されるべきリレーノード３００のハンドオーバ先となるセルに対応する隣接セルリストとを比較することにより重複していないセルを表す情報を抽出する。具体的には、ＭＥＭ１０６４に格納されるべきリレーノード３００のハンドオーバ先となるセルに対応する隣接セルリストに含まれるセルから、ハンドオーバ元となるセルに対応する隣接セルリストに含まれるセルに重複していないセルを表す情報が抽出される。ここで、重複していないセルを表す情報にハンドオーバ元のセルを表す情報が含まれる場合には、該重複していないセルを表す情報から、ハンドオーバ元のセルを表す情報を削除する。隣接セルリスト比較部１０７４は、隣接セルリスト更新部１０７６、隣接セルリスト更新指示部１０７８に、非重複セル情報を入力する。
【００６６】
隣接セルリスト更新部１０７６は、ＭＥＭ１０６４、ハンドオーバ処理部１０７２、隣接セルリスト比較部１０７４と接続される。隣接セルリスト更新部１０７６は、ＭＥＭ１０６４に格納されるべき隣接セルリストを更新する。隣接セルリスト更新部１０７６は、ＭＥＭ１０６４に、更新した隣接セルリストを格納する。
【００６７】
＜当該ドナー基地局がハンドオーバ元のセルを有する場合＞
隣接セルリスト更新部１０７６は、隣接セルリスト比較部１０７４により入力される非重複セル情報に、当該ドナー基地局の配下のセルが含まれるかどうかを判定する。非重複セル情報に当該ドナー基地局の配下のセルが含まれる場合には、ＭＥＭ１０６４に格納されるべき各セルに対応する隣接セルリストのうち、非重複セル情報に含まれる当該ドナー基地局の配下のセルに対応する隣接セル情報から、リレーノード３００の配下のセルを表す情報を削除する。
【００６８】
また、隣接セルリスト更新部１０７６は、ハンドオーバ処理部１０７２により入力される隣接セルリスト更新情報に、当該ドナー基地局の配下のセルが含まれるかどうかを判定する。隣接セルリスト更新情報に当該ドナー基地局の配下のセルが含まれる場合には、ＭＥＭ１０６４に格納されるべき各セルに対応する隣接セルリストのうち、隣接セルリスト更新情報に含まれる当該ドナー基地局の配下のセルに対応する隣接セル情報に、リレーノードの配下のセルを表す情報を追加する。
【００６９】
＜当該ドナー基地局がハンドオーバ先のセルを有する場合＞
隣接セルリスト更新部１０７６は、ハンドオーバ処理部１０７２により入力される隣接セルリスト更新情報に、当該ドナー基地局の配下のセルが含まれるかどうかを判定する。隣接セルリスト更新情報に当該ドナー基地局の配下のセルが含まれる場合には、ＭＥＭ１０６４に格納されるべき各セルに対応する隣接セルリストのうち、隣接セルリスト更新情報に含まれるセルに対応する隣接セルリストに、リレーノードの配下のセルを表す情報を追加する。
【００７０】
また、隣接セルリスト更新部１０７６は、ハンドオーバ処理部１０７２により入力される隣接セルリスト更新情報に、当該ドナー基地局の配下のセルが含まれるかどうかを判定する。隣接セルリスト更新情報に当該ドナー基地局の配下のセルが含まれる場合には、ＭＥＭ１０６４に格納されるべき各セルに対応する隣接セルリストのうち、隣接セルリスト更新情報に含まれる当該ドナー基地局の配下のセルに対応する隣接セル情報から、リレーノードの配下のセルを表す情報を削除する。
【００７１】
隣接セルリスト更新指示部１０７８は、プロトコル処理部１０６８、隣接セルリスト比較部１０７４と接続される。隣接セルリスト更新指示部１０７８は、隣接セルリスト比較部１０７４により入力されるべき非重複セル情報に基づいて、当該ドナー基地局以外のドナー基地局及び基地局２００の少なくとも一方に、隣接セルリストの更新を依頼するための隣接セルリスト更新情報を生成する。隣接セルリスト更新指示部１０７８は、プロトコル処理部１０６８に、隣接セルリスト更新情報を入力する。プロトコル処理部１０６８は、Ｘ２メッセージとして、隣接セルリスト更新情報を送信するためのプロトコル変換を行う。
【００７２】
＜当該ドナー基地局がハンドオーバ元のセルを有する場合＞
隣接セルリスト更新指示部１０７８は、隣接セルリスト比較部１０７４により入力される非重複セル情報に含まれるセルを有するドナー基地局及び基地局の少なくとも一方に、該非重複セルに含まれるセルの隣接セルリストから、リレーノード３００の配下のセルを表す情報を削除することを依頼するため情報を含む隣接セルリスト更新情報を生成する。
【００７３】
＜当該ドナー基地局がハンドオーバ先のセルを有する場合＞
隣接セルリスト更新指示部１０７８は、隣接セルリスト比較部１０７４により入力される非重複セル情報に含まれるセルを有するドナー基地局及び基地局の少なくとも一方に、該非重複セルに含まれるセルの隣接セルリストに、リレーノード３００の配下のセルを表す情報を追加することを依頼するため情報を含む隣接セルリスト更新情報を生成する。
【００７４】
ベースバンド処理部１０８は、Ｌ２ＳＷ１０４と接続される。ベースバンド処理部１０８は、ＤＳＰ１０８２と、ＭＥＭ（メモリ）１０８４とを有する。
【００７５】
ＤＳＰ１０８２は、ＭＥＭ１０８４に格納されたプログラムに従って、各種制御を行う。ＭＥＭ１０８４には、ドナー基地局として、当該ドナー基地局１００ｎを機能させるためのプログラムが格納される。
【００７６】
ベースバンド処理部１０８は、制御部１０６との間で情報の入出力を行う。ベースバンド処理部１０８は、トラヒックの管理を行う。具体的には、ＧＴＰ（Ｇｅｎｅｒａｌ  Ｐａｃｋｅｔ  Ｒａｄｉｏ  Ｓｅｒｖｉｃｅ（ＧＰＲＳ）  Ｔｕｎｎｅｌｌｉｎｇ  Ｐｒｏｔｏｃｏｌ）の管理を行う。ベースバンド処理部１０８は、トラヒックの転送を行う。具体的には、ＧＴＰの転送処理を行う。ベースバンド処理部１０８は、トラヒックを監視する。具体的には、セル状態を監視する。ベースバンド処理部１０８は、秘匿設定及び解除を行う。ベースバンド処理部１０８は、ＭＡＣ多重及び分離を行う。ベースバンド処理部１０８は、同期処理を行う。ベースバンド処理部１０８は、ページング処理を行う。
【００７７】
無線インタフェース１１８は、Ｌ２ＳＷ１０４と接続される。
【００７８】
Ｉ／Ｏｐｏｒｔ１１０１−１１０３は、Ｌ２ＳＷ１０４と接続される。Ｉ／Ｏｐｏｒｔ１１０１−１１０３は、入出力ポートである。
【００７９】
Ａ／Ｄ変換回路１１２１−１１２３は、Ｉ／Ｏｐｏｒｔ１１０１−１１０３とそれぞれ接続される。Ａ／Ｄ変換回路１１２１−１１２３は、デジタル信号に、Ｉ／Ｏｐｏｒｔ１１０１−１１０３からのアナログ信号を変換する。
【００８０】
広帯域ＡＭＰ１１４１−１１４３は、Ａ／Ｄ変換回路１１２１−１１２３とそれぞれ接続される。広帯域ＡＭＰ１１４１−１１４３は、Ａ／Ｄ変換回路１１２１−１１２３からのデジタル信号を増幅する。
【００８１】
アンテナ１１６１−１１６３は、広帯域ＡＭＰ１１４１−１１４３とそれぞれ接続される。アンテナ１１６１−１１６３は、広帯域ＡＭＰ１１４１−１１４３からの信号を無線送信する。アンテナ１１６１−１１６３からの無線信号は、対応するセルに在圏するユーザ端末４００ｍ及びリレーノード３００の少なくとも一方に送信される。
【００８２】
＜基地局＞
図１０は、基地局２００の一実施例を示す。
【００８３】
図１０には、主に、ハードウェア構成が示される。
【００８４】
基地局２００は、伝送路インタフェース２０２と、Ｌ２ＳＷ２０４と、制御部２０６と、ベースバンド処理部２０８と、無線インタフェース２１８とを有する。
【００８５】
無線インタフェース２１８は、当該基地局２００によりカバーされるセルの数に応じた数の無線インタフェースを有する。図１０には、当該基地局２００により３セルがカバーされる例が示される。３セルがカバーされる場合、無線インタフェース２１８には、Ｉ／Ｏｐｏｒｔ２１０１−２１０３と、Ａ／Ｄ変換回路２１２１−２１２３と、広帯域ＡＭＰ２１４１−２１４３と、アンテナ２１６１−２１６３とが含まれる。添え字「１」、「２」、「３」は、それぞれセルに対応する。
【００８６】
伝送路インタフェース２０２は、当該基地局以外のドナー基地局、基地局との間のインタフェースである。また、伝送路インタフェース２０２は、交換機６００との間のインタフェースである。図１０では、交換機６００は、ＭＭＥと表されている。該ＭＭＥは、ＨＳＳ７００と接続される。ＨＳＳ７００は、加入者情報データベースである。ＨＳＳは、認証情報及び在圏情報を管理する。伝送路インタフェース２０２は、Ｘ２インタフェースと呼ばれてもよい。
【００８７】
Ｌ２ＳＷ２０４は、伝送路インタフェース２０２と接続される。Ｌ２ＳＷ２０４は、レイヤー２で、伝送路インタフェース２０２からのパケットの転送先を判断する。Ｌ２ＳＷ２０４は、無線インタフェース２１８に含まれるＩ／Ｏｐｏｒｔ１１０１−１１０３のうち、転送先に対応するＩ／Ｏｐｏｒｔに、伝送路インタフェース２０２からのパケットを転送する。
【００８８】
制御部２０６は、Ｌ２ＳＷ２０４と接続される。制御部２０６は、ＣＰＵ２０６２と、ＭＥＭ２０６４とを有する。
【００８９】
ＣＰＵ２０６２は、ＭＥＭ２０６４に格納されたプログラムに従って、各種制御を行う。ＭＥＭ２０６４には、ＬＴＥ基地局として、当該ＬＴＥ基地局２００を機能させるためのプログラムが格納される。
【００９０】
制御部２０６は、呼処理を行う。また、制御部２０６は、リソース管理を行う。また、制御部２０６は、当該基地局２００と、ユーザ端末４００ｍとの間の接続制御を行う。さらに、制御部１０６は、当該基地局２００と、ユーザ端末４００ｍとの間の接続管理を行う。また、制御部１０６は、ユーザ端末４００ｍに、下りリンクの受信品質の測定を指示する。さらに、制御部１０６は、該指示に応じて、ユーザ端末４００ｍから通知された下りリンクの受信品質を解析する。具体的には、制御部１０６は、該ユーザ端末４００ｍをハンドオーバさせるべきかどうかを判断する。また、制御部１０６は、当該基地局２００の各部を監視し、制御する。
【００９１】
＜基地局２００の機能＞
図１１は、基地局２００の機能の一実施例を示す。
【００９２】
基地局２００は、メッセージ分析部２０６６と、プロトコル処理部２０６８と、ハンドオーバ制御部２０７０とを有する。メッセージ分析部２０６６の機能と、プロトコル処理部２０６８の機能と、ハンドオーバ制御部２０７０の機能は、ＣＰＵ２０６２により実現される。ＣＰＵ２０６２が、所定のプログラムに従って動作することにより、メッセージ分析部２０６６、プロトコル処理部２０６８、ハンドオーバ制御部２０７０として機能する。ハンドオーバ制御部２０７０は、ハンドオーバ処理部２０７２と、隣接セルリスト更新部２０７４とを有する。ハンドオーバ処理部２０７２の機能と、隣接セルリスト更新部２０７４の機能は、ＣＰＵ２０６２により実現される。ＣＰＵ２０６２が、所定のプログラムに従って動作することにより、ハンドオーバ処理部２０７２、隣接セルリスト更新部２０７４として機能する。
【００９３】
メッセージ分析部２０６６は、Ｌ２ＳＷ２０４と接続される。メッセージ分析部２０６６は、Ｌ２ＳＷ２０４から入力されるべきメッセージを分析する。具体的には、メッセージ分析部２０６６は、該メッセージの宛先に応じて、ユーザ端末４００ｍ宛である場合には、Ｌ２ＳＷ２０４に入力する。また、メッセージ分析部２０６６は、該メッセージが、ユーザ端末４００ｍからの下りリンクの無線品質を表す情報、ドナー基地局からの隣接セルリスト変更情報である場合には、プロトコル処理部２０６８に入力する。
【００９４】
プロトコル処理部２０６８は、Ｌ２ＳＷ２０４と、メッセージ分析部２０６６と接続される。プロトコル処理部２０６８は、ハンドオーバ制御部２０７０に、メッセージ分析部２０６６からの下りリンクの無線品質を表す情報を入力する。また、プロトコル処理部２０６８は、ハンドオーバ制御部２０７０に、メッセージ分析部２０６６からの隣接セルリスト変更情報を入力する。
【００９５】
ハンドオーバ制御部２０７０は、当該基地局２００の配下のユーザ端末４００ｍがドナー基地局又は他の基地局にハンドオーバする場合の制御を行う。また、ハンドオーバ制御部２０７０は、ドナー基地局又は他の基地局から、当該基地局２００に、ユーザ端末４００ｍがハンドオーバする場合の制御を行う。
【００９６】
ハンドオーバ処理部２０７２は、プロトコル処理部２０６８と接続される。ハンドオーバ処理部２０７２は、プロトコル処理部２０６８により入力されるべき下りリンクの無線品質に基づいて、該下りリンクの無線品質を表す情報を送信したユーザ端末４００ｍを、ドナー基地局又は他の基地局２００にハンドオーバさせるかどうかを判定する。
【００９７】
ハンドオーバ処理部２０７２は、ドナー基地局又は他の基地局との間で、ユーザ端末４００ｍをハンドオーバさせるための処理を行う。
【００９８】
隣接セルリスト更新部２０７４は、プロトコル処理部２０６８と接続される。隣接セルリスト更新部２０７４は、プロトコル処理部２０６８により入力される隣接セルリスト更新情報に、当該基地局の配下のセルが含まれるかどうかを判定する。隣接セルリスト更新情報に当該基地局の配下のセルが含まれる場合には、ＭＥＭ２０６４に格納されるべき各セルに対応する隣接セルリストのうち、隣接セルリスト更新情報に含まれる当該基地局の配下のセルに対応する隣接セルリストから、リレーノードの配下のセルを表す情報を追加したり削除したりする。具体的には、該隣接セルリスト更新情報がハンドオーバ元のドナー基地局から送信されたものである場合にはリレーノードの配下のセルを表す情報を削除し、該隣接セルリスト更新情報がハンドオーバ先のドナー基地局から送信されたものである場合にはリレーノードの配下のセルを表す情報を追加する。削除するか追加するかは、隣接セルリスト更新情報の「削除隣接セル数」又は「追加隣接セル数」により指定される。
【００９９】
ベースバンド処理部２０８は、Ｌ２ＳＷ２０４と接続される。ベースバンド処理部２０８は、ＤＳＰ２０８２と、ＭＥＭ（メモリ）２０８４とを有する。
【０１００】
ＤＳＰ２０８２は、ＭＥＭ２０８４に格納されたプログラムに従って、各種制御を行う。ＭＥＭ２０８４には、基地局として、当該基地局２００を機能させるためのプログラムが格納される。
【０１０１】
ベースバンド処理部２０８は、制御部２０６との間で情報の入出力を行う。ベースバンド処理部２０８は、トラヒックを監視する。具体的には、セル状態を監視する。ベースバンド処理部２０８は、秘匿設定及び解除を行う。ベースバンド処理部２０８は、ＭＡＣ多重及び分離を行う。ベースバンド処理部２０８は、同期処理を行う。ベースバンド処理部２０８は、ページング処理を行う。
【０１０２】
無線インタフェース２１８は、Ｌ２ＳＷ２０４と接続される。
【０１０３】
Ｉ／Ｏｐｏｒｔ２１０１−２１０３は、Ｌ２ＳＷ２０４と接続される。Ｉ／Ｏｐｏｒｔ２１０１−２１０３は、入出力ポートである。
【０１０４】
Ａ／Ｄ変換回路２１２１−２１２３は、Ｉ／Ｏｐｏｒｔ２１０１−２１０３とそれぞれ接続される。Ａ／Ｄ変換回路２１２１−２１２３は、デジタル信号に、Ｉ／Ｏｐｏｒｔ２１０１−２１０３からのアナログ信号を変換する。
【０１０５】
広帯域ＡＭＰ２１４１−２１４３は、Ａ／Ｄ変換回路２１２１−２１２３とそれぞれ接続される。広帯域ＡＭＰ２１４１−２１４３は、Ａ／Ｄ変換回路２１２１−２１２３からのデジタル信号を増幅する。
【０１０６】
アンテナ２１６１−２１６３は、広帯域ＡＭＰ２１４１−２１４３とそれぞれ接続される。アンテナ２１６１−２１６３は、広帯域ＡＭＰ２１４１−２１４３からの信号を無線送信する。アンテナ２１６１−２１６３からの無線信号は、対応するセルに在圏するユーザ端末４００ｍに送信される。
【０１０７】
＜無線通信システムの動作（その１）＞
図１２は、無線通信システムの動作を説明するための図である。
【０１０８】
図１２に示される図において、リレーノード３００は、ドナー基地局１００１の配下のセルＣｅｌｌ＿０−２から、ドナー基地局１００２の配下のセルＣｅｌｌ＿１−５にハンドオーバする。
【０１０９】
ハンドオーバ元、つまりソース側であるドナー基地局１００１の配下のセルＣｅｌｌ＿０−２に対応する隣接セルリストには、以下の情報が含まれる。
【０１１０】
「Ｓｅｌｆ  ＤｅＮＢ」はドナー基地局１００１を表し、「ＤｅＮＢ＃１」はドナー基地局１００２を表し、「ｅＮＢ＃０」は基地局２００１を表し、「ｅＮＢ＃１」は基地局２００２を表し、「Ｒｅｌａｙ」リレーノード３００を表す。
【０１１１】
Ｌｉｓｔ  Ｎａｍｅ：  ＤｅＮＢ＃０＿Ｎｃｅｌｌ＿ｌｉｓｔ＃０−２
Ｃｅｌｌ  Ｉｎｄｉｃａｔｅ：  Ｃｅｌｌ＿０−２
Ｓｅｌｆ  ＤｅＮＢ  Ｎｃｅｌｌ：  Ｃｅｌｌ＿０−０，  Ｃｅｌｌ＿０−１，  Ｃｅｌｌ＿０−３，  Ｃｅｌｌ＿０−４，  Ｃｅｌｌ＿０−５
ＤｅＮＢ＃１  Ｎｃｅｌｌ：  Ｃｅｌｌ＿１−０，  Ｃｅｌｌ＿１−４，Ｃｅｌｌ＿１−５
ｅＮＢ＃０  Ｎｃｅｌｌ：  Ｃｅｌｌ＿ｅ０−０，  Ｃｅｌｌ＿ｅ０−１
ｅＮＢ＃１  Ｎｃｅｌｌ：  Ｃｅｌｌ＿ｅ１−３，  Ｃｅｌｌ＿ｅ１−４
Ｒｅｌａｙ  Ｎｃｅｌｌ：  Ｃｅｌｌ＿ｒ０
【０１１２】
ハンドオーバ先、つまりターゲット側であるドナー基地局１００２の配下のセルＣｅｌｌ＿０−５に対応する隣接セルリストには、以下の情報が含まれる。
【０１１３】
「Ｓｅｌｆ  ＤｅＮＢ」はドナー基地局１００２を表し、「ＤｅＮＢ＃０」はドナー基地局１００１を表し、「ｅＮＢ＃０」は基地局２００１を表し、「ｅＮＢ＃１」は基地局２００２を表し、「Ｒｅｌａｙ」リレーノード３００を表す。
【０１１４】
Ｌｉｓｔ  Ｎａｍｅ：  ＤｅＮＢ＃１＿Ｎｃｅｌｌ＿ｌｉｓｔ＃１−５
Ｃｅｌｌ  Ｉｎｄｉｃａｔｅ：  Ｃｅｌｌ＿１−５
Ｓｅｌｆ  ＤｅＮＢ  Ｎｃｅｌｌ：  Ｃｅｌｌ＿１−０，  Ｃｅｌｌ＿１−１  Ｃｅｌｌ＿１−２，  Ｃｅｌｌ＿１−３，  Ｃｅｌｌ＿１−４
ＤｅＮＢ＃０  Ｎｃｅｌｌ：  Ｃｅｌｌ＿０−１，  Ｃｅｌｌ＿０−２，  Ｃｅｌｌ＿０−３
ｅＮＢ＃０  Ｎｃｅｌｌ：  Ｃｅｌｌ＿ｅ０−０，  Ｃｅｌｌ＿ｅ０−１
ｅＮＢ＃１  Ｎｃｅｌｌ：  Ｃｅｌｌ＿ｅ１−３，  Ｃｅｌｌ＿ｅ１−４
Ｒｅｌａｙ  Ｎｃｅｌｌ：  Ｃｅｌｌ＿ｒ０
【０１１５】
図１３は、無線通信システムの動作の一実施例を示す。図１３に示される例では、リレーノード３００は、ドナー基地局１００１の配下のセルＣｅｌｌ＿０−２から、ドナー基地局１００２の配下のセルＣｅｌｌ＿１−５にハンドオーバする際の動作が示される。
【０１１６】
ドナー基地局１００１と、ドナー基地局１００２との間で、リレーノード３００をハンドオーバする処理が開始される（ステップＳ１３０２）。ドナー基地局１００１のＣＰＵ１０６２と、ドナー基地局１００２のＣＰＵ１０６２との間で、リレーノード３００をハンドオーバする処理が開始される。つまり、ドナー基地局１００１のハンドオーバ制御部１０７０と、ドナー基地局１００２のハンドオーバ制御部１０７０との間で、リレーノード３００をハンドオーバする処理が開始される。
【０１１７】
ドナー基地局１００１は、リレーノード３００のハンドオーバ先のドナー基地局が、ドナー基地局１００２であることを認識する（ステップＳ１３０４）。つまり、ドナー基地局１００１のＣＰＵ１０６２は、リレーノード３００のハンドオーバ先のドナー基地局が、ドナー基地局１００２であることを認識する。
【０１１８】
ドナー基地局１００１は、ドナー基地局１００２に、当該ドナー基地局１００１の配下のセルＣｅｌｌ＿０−２に対応する隣接セルリストを通知する（ステップＳ１３０６）。ドナー基地局１００１のＣＰＵ１０６２は、ドナー基地局１００２に、当該ドナー基地局１００１の配下のセルＣｅｌｌ＿０−２に対応する隣接セルリストを通知する制御を行う。該セルＣｅｌｌ＿０−２に対応する隣接セルリストは、Ｌ２ＳＷ１０４を介して、伝送路インタフェース１０２に入力される。伝送路インタフェース１０２は、ドナー基地局１００２に、該セルＣｅｌｌ＿０−２に対応する隣接セルリストを通知する。
【０１１９】
ドナー基地局１００２は、リレーノード３００のハンドオーバ元のドナー基地局が、ドナー基地局１００１であることを認識する（ステップＳ１３０８）。つまり、ドナー基地局１００２のＣＰＵ１０６２は、リレーノード３００のハンドオーバ元のドナー基地局が、ドナー基地局１００１であることを認識する。
【０１２０】
ドナー基地局１００２は、ドナー基地局１００１に、当該ドナー基地局１００２の配下のセルＣｅｌｌ＿１−５に対応する隣接セルリストを通知する（ステップＳ１３１０）。ドナー基地局１００２のＣＰＵ１０６２は、ドナー基地局１００１に、当該ドナー基地局１００２の配下のセルＣｅｌｌ＿１−５に対応する隣接セルリストを通知する制御を行う。該セルＣｅｌｌ＿１−５に対応する隣接セルリストは、Ｌ２ＳＷ１０４を介して、伝送路インタフェース１０２に入力される。伝送路インタフェース１０２は、ドナー基地局１００１に、該セルＣｅｌｌ＿１−５に対応する隣接セルリストを通知する。
【０１２１】
ドナー基地局１００１は、当該ドナー基地局１００１の配下のセルＣｅｌｌ＿０−２に対応する隣接セルリストに含まれるセルの情報と、ステップＳ１３１０によりドナー基地局１００２から通知された隣接セルリストに含まれるセルの情報とを比較することにより、重複しないセルを表す情報を抽出する（ステップＳ１３１２）。つまり、ドナー基地局１００１のＣＰＵ１０６２は、当該ドナー基地局１００１の配下のセルＣｅｌｌ＿０−２に対応する隣接セルリストに含まれるセルの情報と、ステップＳ１３１０によりドナー基地局１００２から通知された隣接セルリストに含まれるセルの情報とを比較することにより、重複しないセルを表す情報を抽出する。ここで、重複しないセルを表す情報からハンドオーバ先のセルＣｅｌｌ＿１−５は除かれてもよい。
【０１２２】
ドナー基地局１００２は、当該ドナー基地局１００２の配下のセルＣｅｌｌ＿１−５に対応する隣接セルリストに含まれるセルの情報と、ステップＳ１３０６によりドナー基地局１００１から通知された隣接セルリストに含まれるセルの情報とを比較することにより、重複しないセルを表す情報を抽出する（ステップＳ１３１４）。つまり、ドナー基地局１００２のＣＰＵ１０６２、当該ドナー基地局１００２の配下のセルＣｅｌｌ＿１−５に対応する隣接セルリストに含まれるセルの情報と、ステップＳ１３０６によりドナー基地局１００１から通知された隣接セルリストに含まれるセルの情報とを比較することにより、重複しないセルを表す情報を抽出する。ここで、重複しないセルを表す情報からハンドオーバ元のセルＣｅｌｌ＿０−２は除かれてもよい。
【０１２３】
ドナー基地局１００１は、ステップＳ１３１２により重複しないセルとして抽出したセルを収容しているドナー基地局１００１、及び１００２、基地局２００１、及び２００２に、リレーノード３００の配下のセルを隣接セルリストから削除するように指示する（ステップＳ１３１６）。つまり、ドナー基地局１００１ＣＰＵ１０６２は、ステップＳ１３１２により重複しないセルとして抽出したセルを収容しているドナー基地局１００１、及び１００２、基地局２００１、及び２００２に、リレーノード３００の配下のセルを隣接セルリストから削除するように指示する。この場合、ハンドオーバ先のセルは、除外されているので、削除されない。図１２に示される例では、ドナー基地局１００２、基地局２００１、及び２００２については重複しないセルはないので、ドナー基地局１００２、基地局２００１、及び２００２に、「削除隣接セル数」として「０」が指定された隣接セルリスト更新情報が送信される。
【０１２４】
ステップＳ１３１６による指示に従って、基地局２００１、ドナー基地局１００２、基地局２００２は、隣接セルリストを更新する（ステップＳ１３１８、Ｓ１３２０、Ｓ１３２２）。つまり、ステップＳ１３１６による指示に従って、基地局２００１のＣＰＵ２０６２、ドナー基地局１００２のＣＰＵ１０６２、基地局２００２のＣＰＵ２０６２は、隣接セルリストを更新する。
【０１２５】
ドナー基地局１００１は、当該ドナー基地局１００１の配下のセルＣｅｌｌ＿０−０、Ｃｅｌｌ＿０−４、Ｃｅｌｌ＿０−５に対応する隣接セルリストから、リレーノード３００の配下のセルを削除する（ステップＳ１３２４）。つまり、ドナー基地局１００１のＣＰＵ１０６２は、当該ドナー基地局１００１の配下のセルＣｅｌｌ＿０−０、Ｃｅｌｌ＿０−４、Ｃｅｌｌ＿０−５に対応する隣接セルリストから、リレーノード３００の配下のセルを削除する。ドナー基地局１００１については、セルＣｅｌｌ＿０−０、Ｃｅｌｌ＿０−４、Ｃｅｌｌ＿０−５が重複しないためである。
【０１２６】
ドナー基地局１００２は、ステップＳ１３１４により重複しないセルとして抽出したセルを収容しているドナー基地局１００１、及び１００２、基地局２００１、及び２００２に、リレーノード３００の配下のセルを隣接セルリストに追加するように指示する（ステップＳ１３２６）。つまり、ドナー基地局１００２のＣＰＵ１０６２は、ステップＳ１３１４により重複しないセルとして抽出したセルを収容しているドナー基地局１００１、及び１００２、基地局２００１、及び２００２に、リレーノード３００の配下のセルを隣接セルリストに追加するように指示する。この場合、ハンドオーバ元のセルは、除外されているので追加されない。図１２に示される例では、ドナー基地局１００２、基地局２００１、及び２００２については重複しないセルはないので、ドナー基地局１００２、基地局２００１、及び２００２に、「追加隣接セル数」として「０」が指定された隣接セルリスト更新情報が送信される。
【０１２７】
ステップＳ１３２６による指示に従って、基地局２００１、ドナー基地局１００１、基地局２００２は、隣接セルリストを更新する（ステップＳ１３２８、Ｓ１３３０、Ｓ１３３２）。つまり、ステップＳ１３２６による指示に従って、基地局２００１のＣＰＵ２０６２、ドナー基地局１００１のＣＰＵ１０６２、基地局２００２のＣＰＵ２０６２は、隣接セルリストを更新する。
【０１２８】
ドナー基地局１００２は、当該ドナー基地局１００２の配下のセルＣｅｌｌ＿１−１、Ｃｅｌｌ＿１−２、Ｃｅｌｌ＿１−３に対応する隣接セルリストに、リレーノード３００の配下のセルを追加する（ステップＳ１３３４）。つまり、ドナー基地局１００２のＣＰＵ１０６２は、当該ドナー基地局１００２の配下のセルＣｅｌｌ＿１−１、Ｃｅｌｌ＿１−２、Ｃｅｌｌ＿１−３に対応する隣接セルリストに、リレーノード３００の配下のセルを追加する。ドナー基地局１００１については、セルＣｅｌｌ＿１−１、Ｃｅｌｌ＿１−２、Ｃｅｌｌ＿１−３が重複しないためである。
【０１２９】
＜無線通信システムの動作（その２）＞
図１２に示される図において、リレーノード３００が、ドナー基地局１００１の配下のセルＣｅｌｌ＿０−１から、ドナー基地局１００２の配下のセルＣｅｌｌ＿１−５にハンドオーバする場合について説明する。
【０１３０】
ハンドオーバ元、つまりソース側であるドナー基地局１００１の配下のセルＣｅｌｌ＿０−１に対応する隣接セルリストには、以下の情報が含まれる。
【０１３１】
「Ｓｅｌｆ  ＤｅＮＢ」はドナー基地局１００１を表し、「ＤｅＮＢ＃１」はドナー基地局１００２を表し、「ｅＮＢ＃１」は基地局２００２を表し、「Ｒｅｌａｙ」リレーノード３００を表す。
【０１３２】
Ｌｉｓｔ  Ｎａｍｅ：  ＤｅＮＢ＃０＿Ｎｃｅｌｌ＿ｌｉｓｔ＃０−１
Ｃｅｌｌ  Ｉｎｄｉｃａｔｅ：  Ｃｅｌｌ＿０−１
Ｓｅｌｆ  ＤｅＮＢ  Ｎｃｅｌｌ：  Ｃｅｌｌ＿０−０，  Ｃｅｌｌ＿０−２，  Ｃｅｌｌ＿０−３，  Ｃｅｌｌ＿０−４，  Ｃｅｌｌ＿０−５
ＤｅＮＢ＃１  Ｎｃｅｌｌ：  Ｃｅｌｌ＿１−０，  Ｃｅｌｌ＿１−５
ｅＮＢ＃１  Ｎｃｅｌｌ：  Ｃｅｌｌ＿ｅ１−３，  Ｃｅｌｌ＿ｅ１−４，  Ｃｅｌｌ＿ｅ１−５
Ｒｅｌａｙ  Ｎｃｅｌｌ：  Ｃｅｌｌ＿ｒ０
【０１３３】
ハンドオーバ先、つまりターゲット側であるドナー基地局１００２の配下のセルＣｅｌｌ＿０−５に対応する隣接セルリストには、以下の情報が含まれる。
【０１３４】
「Ｓｅｌｆ  ＤｅＮＢ」はドナー基地局１００２を表し、「ＤｅＮＢ＃０」はドナー基地局１００１を表し、「ｅＮＢ＃０」は基地局２００１を表し、「ｅＮＢ＃１」は基地局２００２を表し、「Ｒｅｌａｙ」リレーノード３００を表す。
【０１３５】
Ｌｉｓｔ  Ｎａｍｅ：  ＤｅＮＢ＃１＿Ｎｃｅｌｌ＿ｌｉｓｔ＃１−５
Ｃｅｌｌ  Ｉｎｄｉｃａｔｅ：  Ｃｅｌｌ＿１−５
Ｓｅｌｆ  ＤｅＮＢ  Ｎｃｅｌｌ：  Ｃｅｌｌ＿１−０，  Ｃｅｌｌ＿１−１  Ｃｅｌｌ＿１−２，  Ｃｅｌｌ＿１−３，  Ｃｅｌｌ＿１−４
ＤｅＮＢ＃０  Ｎｃｅｌｌ：  Ｃｅｌｌ＿０−１，  Ｃｅｌｌ＿０−２，  Ｃｅｌｌ＿０−３
ｅＮＢ＃０  Ｎｃｅｌｌ：  Ｃｅｌｌ＿ｅ０−０，  Ｃｅｌｌ＿ｅ０−１
ｅＮＢ＃１  Ｎｃｅｌｌ：  Ｃｅｌｌ＿ｅ１−３，  Ｃｅｌｌ＿ｅ１−４
Ｒｅｌａｙ  Ｎｃｅｌｌ：  Ｃｅｌｌ＿ｒ０
【０１３６】
図１４は、無線通信システムの動作の一実施例を示す。図１４に示される例では、リレーノード３００は、ドナー基地局１００１の配下のセルＣｅｌｌ＿０−１から、ドナー基地局１００２の配下のセルＣｅｌｌ＿１−５にハンドオーバする際の動作が示される。
【０１３７】
ドナー基地局１００１と、ドナー基地局１００２との間で、リレーノード３００をハンドオーバする処理が開始される（ステップＳ１４０２）。ドナー基地局１００１のＣＰＵ１０６２と、ドナー基地局１００２のＣＰＵ１０６２との間で、リレーノード３００をハンドオーバする処理が開始される。つまり、ドナー基地局１００１のハンドオーバ制御部１０７０と、ドナー基地局１００２のハンドオーバ制御部１０７０との間で、リレーノード３００をハンドオーバする処理が開始される。
【０１３８】
ドナー基地局１００１は、リレーノード３００のハンドオーバ先のドナー基地局が、ドナー基地局１００２であることを認識する（ステップＳ１４０４）。つまり、ドナー基地局１００１のＣＰＵ１０６２は、リレーノード３００のハンドオーバ先のドナー基地局が、ドナー基地局１００２であることを認識する。
【０１３９】
ドナー基地局１００１は、ドナー基地局１００２に、当該ドナー基地局１００１の配下のセルＣｅｌｌ＿０−１に対応する隣接セルリストを通知する（ステップＳ１４０６）。ドナー基地局１００１のＣＰＵ１０６２は、ドナー基地局１００２に、当該ドナー基地局１００１の配下のセルＣｅｌｌ＿０−１に対応する隣接セルリストを通知する制御を行う。該セルＣｅｌｌ＿０−１に対応する隣接セルリストは、Ｌ２ＳＷ１０４を介して、伝送路インタフェース１０２に入力される。伝送路インタフェース１０２は、ドナー基地局１００２に、該セルＣｅｌｌ＿０−１に対応する隣接セルリストを通知する。
【０１４０】
ドナー基地局１００２は、リレーノード３００のハンドオーバ元のドナー基地局が、ドナー基地局１００１であることを認識する（ステップＳ１４０８）。つまり、ドナー基地局１００２のＣＰＵ１０６２は、リレーノード３００のハンドオーバ元のドナー基地局が、ドナー基地局１００１であることを認識する。
【０１４１】
ドナー基地局１００２は、ドナー基地局１００１に、当該ドナー基地局１００２の配下のセルＣｅｌｌ＿１−５に対応する隣接セルリストを通知する（ステップＳ１４１０）。ドナー基地局１００２のＣＰＵ１０６２は、ドナー基地局１００１に、当該ドナー基地局１００２の配下のセルＣｅｌｌ＿１−５に対応する隣接セルリストを通知する制御を行う。該セルＣｅｌｌ＿１−５に対応する隣接セルリストは、Ｌ２ＳＷ１０４を介して、伝送路インタフェース１０２に入力される。伝送路インタフェース１０２は、ドナー基地局１００１に、該セルＣｅｌｌ＿１−５に対応する隣接セルリストを通知する。
【０１４２】
ドナー基地局１００１は、当該ドナー基地局１００１の配下のセルＣｅｌｌ＿０−１に対応する隣接セルリストに含まれるセルの情報と、ステップＳ１４１０によりドナー基地局１００２から通知された隣接セルリストに含まれるセルの情報とを比較することにより、重複しないセルを表す情報を抽出する（ステップＳ１４１２）。つまり、ドナー基地局１００１のＣＰＵ１０６２は、当該ドナー基地局１００１の配下のセルＣｅｌｌ＿０−１に対応する隣接セルリストに含まれるセルの情報と、ステップＳ１４１０によりドナー基地局１００２から通知された隣接セルリストに含まれるセルの情報とを比較することにより、重複しないセルを表す情報を抽出する。ここで、重複しないセルを表す情報からハンドオーバ先のセルＣｅｌｌ＿０−５は除かれてもよい。
【０１４３】
ドナー基地局１００２は、当該ドナー基地局１００２の配下のセルＣｅｌｌ＿１−５に対応する隣接セルリストに含まれるセルの情報と、ステップＳ１４０６によりドナー基地局１００１から通知された隣接セルリストに含まれるセルの情報とを比較することにより、重複しないセルを表す情報を抽出する（ステップＳ１４１４）。つまり、ドナー基地局１００２のＣＰＵ１０６２、当該ドナー基地局１００２の配下のセルＣｅｌｌ＿１−５に対応する隣接セルリストに含まれるセルの情報と、ステップＳ１４０６によりドナー基地局１００１から通知された隣接セルリストに含まれるセルの情報とを比較することにより、重複しないセルを表す情報を抽出する。ここで、重複しないセルを表す情報からハンドオーバ元のセルＣｅｌｌ＿０−１は除かれてもよい。
【０１４４】
ドナー基地局１００１は、ステップＳ１４１２により重複しないセルとして抽出したセルを収容しているドナー基地局１００２、基地局２００１、及び２００２に、リレーノード３００の配下のセルを隣接セルリストから削除するように指示する（ステップＳ１４１６）。つまり、ドナー基地局１００１ＣＰＵ１０６２は、ステップＳ１４１２により重複しないセルとして抽出したセルを収容しているドナー基地局１００２、基地局２００１、及び２００２に、リレーノード３００の配下のセルを隣接セルリストから削除するように指示する。この場合、ハンドオーバ先のセルは、除外されているので削除されない。図１２に示される例では、ドナー基地局１００２については重複しないセルはないので、ドナー基地局１００２に、「削除隣接セル数」として「０」が指定された隣接セルリスト更新情報が送信される。基地局１００２についてはセルＣｅｌｌ＿ｅ１−５が重複しないセルとなるので、基地局１００２に、「削除隣接セル数」として「１」が指定され、且つ「隣接セル情報」として「セルＣｅｌｌ＿ｅ１−５」が指定された隣接セルリスト更新情報が送信される。
【０１４５】
ステップＳ１４１６による指示に従って、ドナー基地局１００２、基地局２００２は、隣接セルリストを更新する（ステップＳ１４１８、Ｓ１４２０）。つまり、ステップＳ１４１６による指示に従って、ドナー基地局１００２のＣＰＵ１０６２、基地局２００２のＣＰＵ２０６２は、隣接セルリストを更新する。
【０１４６】
ドナー基地局１００１は、当該ドナー基地局１００１の配下のセルＣｅｌｌ＿０−０、Ｃｅｌｌ＿０−４、Ｃｅｌｌ＿０−５に対応する隣接セルリストから、リレーノード３００の配下のセルを削除する（ステップＳ１４２２）。つまり、ドナー基地局１００１のＣＰＵ１０６２は、当該ドナー基地局１００１の配下のセルＣｅｌｌ＿０−０、Ｃｅｌｌ＿０−４、Ｃｅｌｌ＿０−５に対応する隣接セルリストから、リレーノード３００の配下のセルを削除する。ドナー基地局１００１については、セルＣｅｌｌ＿０−０、Ｃｅｌｌ＿０−４、Ｃｅｌｌ＿０−５が重複しないためである。
【０１４７】
ドナー基地局１００２は、ステップＳ１４１４により重複しないセルとして抽出したセルを収容しているドナー基地局１００１、及び１００２、基地局２００１、及び２００２に、リレーノード３００の配下のセルを隣接セルリストに追加するように指示する（ステップＳ１４２４）。つまり、ドナー基地局１００２のＣＰＵ１０６２は、ステップＳ１４１４により重複しないセルとして抽出したセルを収容しているドナー基地局１００１、及び１００２、基地局２００１、及び２００２に、リレーノード３００の配下のセルを隣接セルリストに追加するように指示する。この場合、ハンドオーバ元のセルは、除外されているので追加されない。図１２に示される例では、ドナー基地局１００１、基地局２００２については重複しないセルはないので、ドナー基地局１００１、基地局２００２に、「追加隣接セル数」として「０」が指定された隣接セルリスト更新情報が送信される。基地局１００１についてはセルＣｅｌｌ＿ｅ０−０、及びＣｅｌｌ＿ｅ０−１が重複しないセルとなるので、基地局１００１に、「追加隣接セル数」として「２」が指定され、且つ「追加セル情報」として「セルＣｅｌｌ＿ｅ０−０」、及び「セルＣｅｌｌ＿ｅ０−１」が指定された隣接セルリスト更新情報が送信される。
【０１４８】
ステップＳ１４２４による指示に従って、基地局２００１、ドナー基地局１００１、基地局２００２は、隣接セルリストを更新する（ステップＳ１４２６、Ｓ１４２８、Ｓ１４３０）。つまり、ステップＳ１４２４による指示に従って、基地局２００１のＣＰＵ２０６２、ドナー基地局１００１のＣＰＵ１０６２、基地局２００２のＣＰＵ２０６２は、隣接セルリストを更新する。
【０１４９】
ドナー基地局１００２は、当該ドナー基地局１００２の配下のセルＣｅｌｌ＿１−１、Ｃｅｌｌ＿１−２、Ｃｅｌｌ＿１−３、Ｃｅｌｌ＿１−４に対応する隣接セルリストに、リレーノード３００の配下のセルを追加する（ステップＳ１４３２）。つまり、ドナー基地局１００２のＣＰＵ１０６２は、当該ドナー基地局１００２の配下のセルＣｅｌｌ＿１−１、Ｃｅｌｌ＿１−２、Ｃｅｌｌ＿１−３、Ｃｅｌｌ＿１−４に対応する隣接セルリストに、リレーノード３００の配下のセルを追加する。ドナー基地局１００２については、セルＣｅｌｌ＿１−１、Ｃｅｌｌ＿１−２、Ｃｅｌｌ＿１−３、及びＣｅｌｌ＿１−４が重複しないためである。
【０１５０】
本実施例によれば、リレーノードの配下のセルの隣接セルとなる可能性があるセルを配下に有するドナー基地局及び基地局の少なくとも一方は、リレーノードのハンドオーバ元となるセルとハンドオーバ先となるセルの双方に隣接するセルをリレーノードのハンドオーバの際に把握させることができる。
【０１５１】
また、リレーノードの配下のセルと隣接セルになる可能性があるセルを配下に有するドナー基地局及び基地局の少なくとも一方は、リレーノードのハンドオーバの際の隣接セルリストの最適化を行うことができる。具体的には、ハンドオーバ元のセルに対応する隣接セルリストに含まれるセルを表す情報と、ハンドオーバ先のセルに対応する隣接セルリストに含まれるセルを表す情報とを比較することができるため、重複するセルを検出できる。このため、リレーノードをハンドオーバさせる際の隣接セルリストの更新を効率的に行うことができる。
【０１５２】
以上の実施例を含む実施形態に関し、更に以下の付記を開示する。
（付記１）
リレーノードと通信を行う基地局であって、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出し、
該重複しないセルを表す情報に基づいて、該重複しないセルに対応する隣接セルリストから、前記リレーノードの配下のセルを削除することにより隣接セルリストを更新する制御部
を備える、基地局。
（付記２）
付記１に記載の基地局において、
前記制御部は、前記重複しないセルを表す情報に基づいて、該重複しないセルを配下に有する基地局に対して、該重複しないセルに対応する隣接セルリストから、前記リレーノードの配下のセルを削除することにより更新することを依頼する、基地局。
（付記３）
付記１又は２に記載の基地局において、
前記制御部は、他の基地局の配下のセルから、当該基地局の配下のセルに、リレーノードをハンドオーバさせる制御を行う際に、該他の基地局からのハンドオーバ元となるセルに隣接するセルの情報を含む隣接セルリストと、ハンドオーバ先となるセルに隣接するセルの情報を含む隣接セルリストとの間で、重複しないセルを表す情報を抽出し、
該重複しないセルを表す情報に基づいて、該重複しないセルに対応する隣接セルリストに、前記リレーノードの配下のセルを追加することにより隣接セルリストを更新し、
該重複しないセルを表す情報に基づいて、該重複しないセルを配下に有する基地局に対して、該重複しないセルに対応する隣接セルリストに、前記リレーノードの配下のセルを追加することにより更新することを依頼する、基地局。
（付記４）
付記１ないし３のいずれか１項に記載の基地局において、
Ｘ２インタフェースにより、前記重複しないセルを配下に有する基地局に対して、隣接セルリストを更新することを依頼する伝送路インタフェース
を有する、基地局。
（付記５）
リレーノードと通信を行う基地局における通信方法であって、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出する隣接セルリスト比較ステップと、
該隣接セルリスト比較ステップにより抽出された重複しないセルを表す情報に基づいて、該重複しないセルに対応する隣接セルリストから、前記リレーノードの配下のセルを削除することにより隣接セルリストを更新する隣接セルリスト更新ステップと
を有する、通信方法。
（付記６）
リレーノードと、該リレーノードと通信を行う基地局とを有する無線通信システムであって、
前記基地局は、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出し、
該重複しないセルを表す情報に基づいて、該重複しないセルに対応する隣接セルリストから、前記リレーノードの配下のセルを削除することにより隣接セルリストを更新し、
該重複しないセルを表す情報に基づいて、該重複しないセルを配下に有する基地局に対して、該重複しないセルに対応する隣接セルリストから、前記リレーノードの配下のセルを削除することにより更新することを依頼する第１の制御部
を有し、
前記他の基地局は、
前記基地局の配下のセルから、前記リレーノードをハンドオーバさせる制御を行う際に、該基地局からのハンドオーバ元となるセルに隣接するセルの情報を含む隣接セルリストと、ハンドオーバ先となるセルに隣接するセルの情報を含む隣接セルリストとの間で、重複しないセルを表す情報を抽出し、
該重複しないセルを表す情報に基づいて、該重複しないセルに対応する隣接セルリストに、前記リレーノードの配下のセルを追加することにより隣接セルリストを更新し、
該重複しないセルを表す情報に基づいて、該重複しないセルを配下に有する基地局に対して、該重複しないセルに対応する隣接セルリストに、前記リレーノードの配下のセルを追加することにより更新することを依頼する第２の制御部
を有する、無線通信システム。
（付記７）
付記１に記載の基地局において、
前記制御部は、前記他の基地局からの前記リレーノードの配下のセルを追加することを依頼する信号に従って、前記リレーノードの配下のセルを追加することにより更新する、基地局。
（付記８）
付記１に記載の基地局において、
前記制御部は、他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出する際に、ハンドオーバ先となるセルを除外する、基地局。
（付記９）
付記１に記載の基地局において、
前記制御部は、他の基地局の配下のセルから、当該基地局の配下のセルに、リレーノードをハンドオーバさせる制御を行う際に、該他の基地局からのハンドオーバ元となるセルに隣接するセルの情報を含む隣接セルリストと、ハンドオーバ先となるセルに隣接するセルの情報を含む隣接セルリストとの間で、重複しないセルを表す情報を抽出する際に、ハンドオーバ元となるセルを除外する、基地局。
（付記１０）
付記１に記載の基地局において、
前記制御部は、他の基地局の配下のセルに、リレーノードをハンドオーバさせる制御を行う際に、該他の基地局に、当該基地局の配下のセルのうち、ハンドオーバ元となるセルに隣接するセルの情報を含む隣接セルリストを通知する、基地局。
（付記１１）
付記１に記載の基地局において、
前記制御部は、他の基地局の配下のセルから、当該基地局の配下のセルに、リレーノードをハンドオーバさせる制御を行う際に、該他の基地局に、当該基地局の配下のセルのうち、ハンドオーバ先となるセルに隣接するセルの情報を含む隣接セルリストを通知する、基地局。
（付記１２）
付記５に記載の通信方法において、
該隣接セルリスト比較ステップにより抽出された重複しないセルを表す情報に基づいて、該重複しないセルを配下に有する基地局に対して、該重複しないセルに対応する隣接セルリストから、前記リレーノードの配下のセルを削除することにより更新することを依頼する隣接セルリスト更新指示ステップ
を有する通信方法。
【符号の説明】
【０１５３】
１００ｎ（ｎは、ｎ＞０の整数）  ドナー基地局
１０２  伝送路インタフェース
１０４  Ｌ２ＳＷ
１０６  制御部
１０６２  ＣＰＵ
１０６４  ＭＥＭ
１０６６  メッセージ分析部
１０６８  プロトコル処理部
１０７０  ハンドオーバ制御部
１０７２  ハンドオーバ処理部
１０７４  隣接セルリスト比較部
１０７６  隣接セルリスト更新部
１０７８  隣接セルリスト更新指示部
１０８  ベースバンド処理部
１０８２  ＤＳＰ
１０８４  ＭＥＭ
１１０１、１１０２、１１０３  Ｉ／Ｏｐｏｒｔ
１１２１、１１２２、１１２３  Ａ／Ｄ変換回路
１１４１、１１４２、１１４３  広帯域ＡＭＰ
１１６１、１１６２、１１６３  アンテナ
１１８  無線インタフェース
１５０１１、１５０１２、１５０１３  セル
１５０２１、１５０２２、１５０２３  セル
２００  基地局
２０２  伝送路インタフェース
２０４  Ｌ２ＳＷ
２０６  制御部
２０６２  ＣＰＵ
２０６４  ＭＥＭ
２０６６  メッセージ分析部
２０６８  プロトコル処理部
２０７０  ハンドオーバ制御部
２０７２  ハンドオーバ処理部
２０７４  隣接セルリスト更新部
２０８  ベースバンド処理部
２０８２  ＤＳＰ
２０８４  ＭＥＭ
２１０１、２１０２、２１０３  Ｉ／Ｏｐｏｒｔ
２１２１、２１２２、２１２３  Ａ／Ｄ変換回路
２１４１、２１４２、２１４３  広帯域ＡＭＰ
２１６１、２１６２、２１６３  アンテナ
２１８  無線インタフェース
３００  リレーノード
３５０  セル
４００ｍ（ｍは、ｍ＞０の整数  ユーザ端末
５００  ＩＰネットワーク
５５０  インタフェース
６００  交換機
７００  ＨＳＳ
【図１】
0005708335.tif 000002
【図２】
0005708335.tif 000003
【図３】
0005708335.tif 000004
【図４】
0005708335.tif 000005
【図５】
0005708335.tif 000006
【図６】
0005708335.tif 000007
【図７】
0005708335.tif 000008
【図８】
0005708335.tif 000009
【図９】
0005708335.tif 000010
【図１０】
0005708335.tif 000011
【図１１】
0005708335.tif 000012
【図１２】
0005708335.tif 000013
【図１３】
0005708335.tif 000014
【図１４】
0005708335.tif 000015